(57)【要約】【課題】本発明の目的は、サポートされる異なる多数の表示をディスプレイに提供するとともに表示あたりのピクセル解像度を向上させる裸眼立体視ディスプレイおよびその操作方法を提供する。【解決手段】本発明の裸眼立体視ディスプレイ（２）は、ディスプレイパネル（４）と、ディスプレイパネル（４）の表示側に配列される視差バリアであって、傾斜軸の回りを傾斜角度だけ枢動可能な複数のｅインク粒子（１８）を有する第１のｅインク面（８）を備え、ｅインク粒子（１８）は、第１の方向では光を透過し、第２の方向では不透明である、視差バリアと、ｅインク粒子（１８）を共通傾斜角度にセットするようにｅインク粒子（１８）を傾斜させるように、また、ユーザに立体視を与えるようにディスプレイパネル（４）による映像の再現およびｅインク粒子（１８）の傾斜を同期させるように構成される。【選択図】図１
2012181528.tif 000002
【特許請求の範囲】
【請求項１】
ａ）ディスプレイパネル（４）と、
ｂ）前記ディスプレイパネル（４）の表示側に配列される視差バリアであって、前記視差バリアは、傾斜軸の回りを傾斜角度だけ枢動可能な複数のｅインク粒子（１８）を有する第１のｅインク面（８）を備え、前記ｅインク粒子（１８）は、第１の方向では光を透過し、第２の方向では不透明である、視差バリアと、
ｃ）前記ｅインク粒子（１８）を共通傾斜角度にセットするように前記ｅインク粒子（１８）を傾斜させるように、また、ユーザに立体視を与えるように前記ディスプレイパネル（４）による映像の再現および前記ｅインク粒子（１８）の前記傾斜を同期させるように構成される制御ユニットと
を備えることを特徴とする裸眼立体視ディスプレイ（２）。
【請求項２】
傾斜軸の回りを傾斜角度だけ枢動可能な複数のｅインク粒子（１８）を備える第２のｅインク面をさらに備え、前記ｅインク粒子（１８）は、第１の方向では光を透過し、第２の方向では不透明であり、前記第２のｅインク面の前記ｅインク粒子（１８）は、前記第１のｅインク面（８）の前記ｅインク粒子（１８）の前記傾斜軸とは異なる傾斜軸を有することを特徴とする請求項１に記載の裸眼立体視ディスプレイ（２）。
【請求項３】
同一のｅインク面（２４、２６）内の前記ｅインク粒子（１８）から逸れる前記傾斜軸は、互いと平行であることを特徴とする請求項１または２に記載の裸眼立体視ディスプレイ（２）。
【請求項４】
前記第１のｅインク面（８）のｅインク粒子（１８）の前記傾斜軸は、垂直方向に整列され、前記第２のｅインク面の前記ｅインク粒子（１８）の前記傾斜軸は水平方向に整列されることを特徴とする請求項１乃至３のいずれか一項に記載の裸眼立体視ディスプレイ（２）。
【請求項５】
前記ｅインク粒子（１８）は、光透過性半球体（２０）と、前記半球体（２０）の間の不透明境界表面（２２）とを有する球体であることを特徴とする請求項１乃至４のいずれか一項に記載の裸眼立体視ディスプレイ（２）。
【請求項６】
前記ｅインク粒子（１８）は、電界を印加することによって、両側で逆帯電され、枢動可能であることを特徴とする請求項１乃至５のいずれか一項に記載の裸眼立体視ディスプレイ（２）。
【請求項７】
ユーザの頭部の位置および／または向きを追跡する頭部追跡装置をさらに備え、前記制御ユニットは、前記ｅインク粒子（１８）の前記傾斜角と、前記ユーザの頭部の判定された位置への、前記ディスプレイパネル（４）の前記映像の前記同期再現とを協調させるようにさらに構成されることを特徴とする請求項１乃至６のいずれか一項に記載の裸眼立体視ディスプレイ（２）。
【請求項８】
前記第１および／または第２のｅインク面（８）は、第１および第２のインターリーブサブレイヤ（２４、２６）を備えることを特徴とする請求項１乃至７のいずれか一項に記載の裸眼立体視ディスプレイ（２）。
【請求項９】
請求項１乃至８のいずれか一項に記載の裸眼立体視ディスプレイ（２）を操作する方法であって、
ａ）前記ｅインク粒子（１８）を、前記共通傾斜角度だけ傾斜させるステップと、
ｂ）ユーザに立体視を与えるように、前記ｅインク粒子（１８）の前記傾斜化、および前記ディスプレイパネル（４）の映像の前記再現を同期させるステップと
を含むことを特徴とする方法。
【請求項１０】
前記ｅインク粒子（１８）の前記傾斜化、および前記ディスプレイパネル（４）による映像の前記再現を同期させる前記ステップは、
ａ）立体画像ペアの第１の画像を第１の傾斜角度で表示するステップと、
ｂ）前記立体画像ペアの第２の画像を第２の傾斜角度で表示するステップと
をさらに含むことを特徴とする請求項９に記載の方法。
【発明の詳細な説明】
【技術分野】
【０００１】
本発明は、ディスプレイパネルおよび視差バリアを備える裸眼立体視（オートステレオスコピック）ディスプレイ、さらにその操作方法に関する。
【背景技術】
【０００２】
３Ｄ映像または３Ｄ動画の立体ディスプレイは、観賞者の左右の目に異なる画像を提示する必要がある。ほとんどの３Ｄ映画で今日使われている単純なソリューションは、偏光眼鏡および立体画像ペアの偏光投影である。しかし、多くの観客にとって、動画を見るときに眼鏡をかける必要があることは、不快な鑑賞体験をすることを意味する。特に、家庭で楽しむ場合、たとえばシャッターや偏光眼鏡のような、いかなる補助手段も身につける必要なく、観賞者に立体視を与える立体ディスプレイが必要とされる。通常、補助手段を必要としない立体３Ｄディスプレイは、視差バリアを使って、観賞者の左右の目に異なる画像を与える。このバリアは通常、固定されている。したがって、観賞者は、右目とは異なる表示を左目に与えるために、予め定められた水平位置を保たなければならない。異なる複数の表示が、複数の観客に与えられ得る。ただし、ユーザの片目が、一方の表示から隣の表示への境界部にある場合、煩わしい人工物が、不愉快なユーザ経験につながる。さらに、視差バリアは固定されているので、ディスプレイパネルは、各表示ごとに個々のピクセルを与える必要がある。このことは、それぞれの３Ｄディスプレイ装置、たとえばフラットスクリーンによって多くの表示がサポートされるほど、表示ごとのピクセル解像度が低下することを意味する。レンチキュラレンズシステムのような代替技術にも、類似した問題がある。
【０００３】
例示的には、たとえば、特許文献１にあるように、格子が視差バリアとして使われる、視差バリアを用いる３Ｄディスプレイが開示されている。スクリーンの前での観賞者の位置に立体ディスプレイを適応させるために、視差バリアの調整のための頭部追跡システムが提供される。バリアは、観賞者の両目を結ぶ線に対して格子が直角になるように調整される。さらに、たとえば、特許文献２にあるように、視差バリアを使うさらなる３Ｄディスプレイが公知となっている。この文献では、視差バリアは水平方向に振動され、観賞者に対して左右の画像が交互に表示される。
【先行技術文献】
【特許文献】
【０００４】
【特許文献１】特開平０９−２３０２８６号公報
【特許文献２】特開２００５−１５７０３３号公報
【発明の概要】
【発明が解決しようとする課題】
【０００５】
本発明の目的は、サポートされる異なる多数の表示をディスプレイに提供するとともに表示あたりのピクセル解像度を向上させる裸眼立体視ディスプレイおよびその操作方法を提供することである。
【課題を解決するための手段】
【０００６】
本発明のある態様において、裸眼立体視ディスプレイは、ディスプレイパネルと、ディスプレイパネルの表示側に配列される視差バリアとを備え、視差バリアは、傾斜軸の回りを傾斜角度だけ枢動可能であるとともに第１の方向では光を透過し、第２の方向では不透明である複数のｅインク粒子を有する第１のｅインク面を備える。好ましくは、ｅインク粒子は、第１の方向を除く、傾斜軸と直交するすべての方向において不透明である。このように、ｅインク粒子は、傾斜軸と直交する単一方向でのみ光を透過する。裸眼立体視ディスプレイは、ｅインク粒子を共通傾斜角度にセットするようにｅインク粒子を傾斜させるように、また、ユーザに立体視を与えるようにディスプレイパネルによる映像の再現と、ｅインク粒子の傾斜とをさらに同期させるように構成される制御ユニットをさらに備える。有利には、ｅインク面のすべてのｅインク粒子は、同時性をもって回転する。したがって、各瞬間に、パネルに対してただ１つの可能な表示方向がある。ただし、この表示方向は、好ましくは水平方向に回転する。高速ディスプレイパネルを使って、ユーザの左目および右目に、または異なるユーザに対してさえも異なる表示を与えるために、この回転中に異なる画像が再現される。可能な表示の数は、ディスプレイパネルの周波数によってのみ制限される。有利には、各表示のピクセル解像度は、ディスプレイパネルのピクセル解像度と同一であり、サポートされる表示の数には依存しない。同時に任意の数の表示を提供することができる。
【０００７】
有利には、異なる表示が、異なる観賞者、たとえば動画を見ている複数の観客に提供される。こうした観客はそれぞれ、ディスプレイ装置によって与えられ得る解像度および奥行きに関してフルクオリティを享受することになる。従来技術において公知である従来のシステムでは、３Ｄシーンの立体的再現は、スクリーンまたはディスプレイの正面の、最適な一か所に対してのみ完璧である。異なる場所に座っている観衆にとって、３Ｄ再現の品質は、上述した最適な場所からの距離が増すとともに低下する。３Ｄシーンが歪む場合もあり、視覚的奥行きが低下する場合もある。この欠点が、提案するソリューションによって克服される。
【０００８】
さらに、異なる表示は好適には、同一対象物の異なる眺めを割り当てられ、対象物のホログラフィ表示に匹敵する。この態様によると、観衆は、完全ピクセルならびに完全な奥行き解像度を有する映像を与えられる。
【０００９】
本発明の別の有利な態様によると、裸眼立体視ディスプレイは、傾斜軸の回りを傾斜角度だけ枢動可能である複数のｅインク粒子を備える第２のｅインク面をさらに備え、ｅインク粒子は、第１の方向では光を透過し、第２の方向では不透明であり、第２のｅインク面のｅインク粒子は、第１のｅインク面のｅインク粒子の傾斜軸とは異なる傾斜軸を有する。繰返しになるが、ｅインク粒子は好ましくは、第１の方向を除く、傾斜軸と直交するすべての方向において不透明である。第１のｅインク面は、第１の回転面において、たとえば水平方向に、異なる表示を与えることを可能にする。第２のｅインク面は、第１の面とは異なる別の面において、さらなる表示を与えることを可能にする。好ましくは、第２の面は、垂直方向に整列される。たとえば、異なる観賞姿勢により、たとえば頭部、すなわち両目の間の接続線を傾けているユーザのための追加表示がサポートされる。
【００１０】
有利には、同一のｅインク面におけるｅインク粒子の傾斜軸は、互いと平行である。１つのｅインク面におけるすべてのｅインク粒子の共通整列が、それぞれの視差バリアの生成に関して有利である。一方、特に視差バリアの周辺エリアにおけるそれぞれのｅインク粒子のわずかに傾斜された回転軸により、ユーザの顔への、スクリーンの集束が向上し得る。言い換えると、ユーザによる認知は、点、すなわち目であり、共通方向に整列される傾斜化軸を有するｅインク粒子によって与えられるような線や隙間ではない。
【００１１】
別の有利な実施形態によると、第１の面のｅインク粒子の傾斜軸は垂直方向に整列され、第２のｅインク面のｅインク粒子の傾斜軸は水平方向に整列される。
【００１２】
本発明の別の有利な態様では、ｅインク粒子は、光を透過する半球体と、半球体の間の不透明レイヤとを備える球体である。本発明の別の実施形態によると、ｅインク粒子は、傾斜軸に対して平行な方向に引き伸ばされる。好ましくは、粒子は、ほぼ扁長楕円体の形状を有し、扁長楕円体の原線は、その赤道直径より大きい。
【００１３】
ｅインク粒子は好ましくは、電界を印加することによって、両側で逆帯電され、枢動可能である。ただし、磁気モーメントは同様に、粒子のそれぞれの傾斜化の誘発に適している。この場合、球体状のｅインク粒子は、好ましくは傾斜軸に対して直角な正味磁気モーメントをもつ。これは、粒子が選択的に磁化される磁気物質を運ぶ半球体によって達成される。粒子の傾斜は、上述したケースの両方において、電界および／または磁界を印加することによって誘発される。
【００１４】
球体または楕円体状の形状を有するｅインク粒子は、ｅインクセルを構成する液体充填室内での摩擦損失が低いことにより、高いスイッチング周波数を与える。電界を印加することによるｅインク粒子のスイッチングにより、それぞれのｅインクセルの制御電子回路の設計のための簡単であり高速なソリューションが提供される。
【００１５】
本発明の別の有利な実施形態によると、裸眼立体視ディスプレイは、ユーザの頭部の位置および／または向きを追跡する頭部追跡装置を備え、制御ユニットは、ｅインク粒子の傾斜角と、ユーザの頭部の判定された位置へのディスプレイパネルの映像の同期再現とを協調させるようにさらに構成される。好ましくは、頭部追跡装置は、１人より多くの人の頭部の追跡にも適している。頭部追跡装置は、第１および第２の立体画像用の投影スポットを、観賞者の頭部の実際の位置に調整することを可能にする。したがって、より優れた鑑賞体験が与えられる。
【００１６】
別の有利な実施形態によると、第１および／または第２のｅインク面は、第１および第２のインターリーブサブレイヤを備える。ある態様によると、さらなるサブレイヤ、たとえば第３または第４のサブレイヤが与えられる。サブレイヤの数は、ディスプレイの輝度の削減と、残余画像の回避との間のトレードオフである。インターリーブ構造は、以下の事柄により、投影の明るさを向上させる。ｅインクセルの電極のための構成空間が必要とされる。したがって、シングルｅインクセルの間に横方向の空隙がある。こうした必然的空隙により、ディスプレイパネルによって生成される光のわずかな部分が、こうしたそれぞれの空隙を通り抜けることを可能にする。この拡散光は、ディスプレイの明るさおよびコントラストを低下させる場合がある。したがって、インターリーブレイヤは、第１のサブレイヤの正面に配置され、第１のサブレイヤ内の空隙を通り抜ける光は、第２のインターリーブサブレイヤによって表示スポットに集束される。その結果、スクリーンの明るさおよびコントラストが改善され、鑑賞体験はより満足できるものになる。
【００１７】
本発明の別の態様では、上述した態様の１つによる裸眼立体視ディスプレイを操作する方法が提供される。この方法は、ｅインク粒子を共通傾斜角度だけ傾斜させるステップと、ユーザに立体視を与えるように、ｅインク粒子の傾斜化およびディスプレイパネルによる映像の再現を同期させるステップとを含む。
【００１８】
有利には、ｅインク粒子の傾斜化およびディスプレイパネルによる映像の再現を同期させるステップは、立体画像ペアの第１の画像を第１の傾斜角度で表示すること、および立体画像ペアの第２の画像を第２の傾斜角度で表示することをさらに含む。
【００１９】
本発明による裸眼立体視ディスプレイに関して既に言及した、同じまたは同様の利点が、裸眼立体視ディスプレイを操作する方法にも該当する。
【図面の簡単な説明】
【００２０】
本発明のさらなる態様が、添付の図面を参照して、以下の本発明の実施形態の説明の後に続く。
【図１】本発明の一実施形態による、視差バリアを有する裸眼立体視ディスプレイを示す簡略化した上面図であって、挿入図は、視差バリアの例示的なｅインクセルを示す。
【図２】ｅインクセルの内側のｅインク粒子の整列を概略的に示す図である。
【図３】ｅインクセルの第１の実施形態を示す簡略図である。
【図４】ｅインクセルの第２の実施形態を示す簡略図である。
【図５】ｅインクセルの第３の実施形態を示す簡略図である。
【図６】本発明の一実施形態による、視差バリアおよびインターリーブ視差バリアを備える裸眼立体視ディスプレイを示す簡略化した上面図である。
【図７】本発明のさらなる実施形態によるインターリーブｅインクセルを示す簡略化した上面図である。
【発明を実施するための形態】
【００２１】
図１は、複数のピクセル６を有するディスプレイパネル４と、複数のｅインクセル１０をもつｅインク面８を備える視差バリアとを備える裸眼立体視ディスプレイ２の簡略化した上面図である。各ｅインクセル１０の内部空間１２は、ディスプレイパネル４によって生じる、すなわちディスプレイパネル４のそれぞれのピクセル６によって生じる光を選択的に透過するｅインク粒子で満たされる。ｅインク粒子は、例示的にディスプレイパネル４の４つのピクセル６に対する矢印で示される、放出された光の方向が調整され得るという点で、選択的に透過性がある。ｅインク粒子の傾斜角は、ディスプレイパネル４の光が完全に阻止される場合はゼロでなければならない。９０°の傾斜角において、光は、ディスプレイパネル４の発光表面に対して直角の方向に透過される。ｅインクセル１０の内部空間１２内に配置されたｅインク粒子の傾斜角は、ｅインク粒子を、ｅインクセル１０の内部空間１２内の回転矢印で示されるように、その回転軸の周りで回転させる電界
【００２２】
【数１】
2012181528.tif 000003
【００２３】
をｅインク粒子に印加することによって調整される。時間依存電界
【００２４】
【数２】
2012181528.tif 000004
【００２５】
は、適切な制御ユニット（図示せず）によって制御される適切な前面電極１４および背面電極１６によって生じる。電極１４、１６は、ディスプレイパネル４のピクセル６によって生じる光に対して透明である必要があるので、インジウムスズ酸化物（ＩＴＯ）のような適切な透明物質が選択される。本例において、電界
【００２６】
【数３】
2012181528.tif 000005
【００２７】
のベクトルは紙の面にあるので、ｅインク粒子に対する回転軸は、その面に対して直角である。
【００２８】
図２は、通常はｅインクセル１０の内部空間１２内に配置された複数のｅインク粒子１８の簡略化した詳細表示を示す。印加される電界
【００２９】
【数４】
2012181528.tif 000006
【００３０】
の方向が、それぞれの矢印によって例示的に示されている。ｅインク粒子１８は、小さい球体または球からなり、各球体または球は、２つの透明な半球体２０からなる。２つの半球体２０の間の境界表面または中間レイヤ２２は好ましくは、黒い非反射面である。一方の半球体２０は、「＋」で示される正電荷をもち、他方の半球体２０は負電荷「−」をもつ。したがって、ｅインク粒子１８は、印加される電界
【００３１】
【数５】
2012181528.tif 000007
【００３２】
によって整列され、好ましい光透過方向ＤＴがあり、ＤＴは、それぞれの電界
【００３３】
【数６】
2012181528.tif 000008
【００３４】
によって回転可能であり調節可能である。光透過性方向ＤＴに対して直角の方向、すなわち光阻止方向ＤＢにおいて、ｅインク粒子１８は、光を完全に阻止する。複数のｅインク粒子１８は、方向ＤＢだけでなく、光透過方向ＤＴとは大きく異なる方向でも光を阻止する。したがって、方向選択的な光バリアが視差バリアによって与えられ、視差バリアによって透過される光線の角度範囲は、光透過方向における視差バリアの厚さと、それぞれのｅインクセル１０の内部空間１２内に配置されたｅインク粒子１８の数とによって定義される。
【００３５】
ｅインク面８を形成するｅインクセル１０は、ディスプレイパネル４の正面に細かい縞に配列され、好ましくは電界
【００３６】
【数７】
2012181528.tif 000009
【００３７】
を生じる電動電圧（ｅｌｅｃｔｒｉｃ  ｍｏｖｉｎｇ  ｖｏｌｔａｇｅ）によってアドレス指定される。ｅインク面８のそれぞれのｅインクセル１０の内部空間１２内に配置されたｅインク粒子１８は、印加される電界
【００３８】
【数８】
2012181528.tif 000010
【００３９】
によって同期して回転される。したがって、各瞬間「ｔ」において、ディスプレイパネル４に対してただ１つの表示が起こる。この表示はｅインク粒子１８の回転に従って水平方向に動く。裸眼立体視ディスプレイ２が、異なるピクセル、すなわち異なる映像をディスプレイパネル４によって生成すると、ｅインクセル１０内でのｅインク粒子１８の回転中に異なる表示が与えられる。ディスプレイパネル４の利点は、ディスプレイ解像度を損なうことなく、それぞれの人数の観賞者に任意の数の表示を与えることができることである。好ましくは、ディスプレイパネル４（ｅインクセル１０内のｅインク粒子１８の回転と同期される）による映像または画像の同期ディスプレイは、観賞者の頭部の位置および／または傾斜角を判定する頭部追跡システムを応用することによって向上し得る。したがって、ｅインク粒子１８の傾斜化と、ディスプレイパネル４による映像の再現との間の同期は、立体画像をユーザの両目に集束させるように調整され得る。
【００４０】
図３から５は、本発明のさらなる実施形態によるｅインクセル１０の代替設計の簡略化した上面図を示す。図３によると、前面電極１４および背面電極１６は、ｅインクセル１０のそれぞれの隅に配置された細かい縞に圧縮される。このように、それぞれの電極１４、１６に対して使われる物質が減り、電極の透明特性の重要性が低下する。図４によると、前面電極１４、背面電極１６および２つのサイド電極１５が、適切な電界
【００４１】
【数９】
2012181528.tif 000011
【００４２】
を生じるために、ｅインクセル１０の内部室１２の周りに配置される。隣接するｅインクセルへの望ましくない電界の誘発を避けるために、隣接する電極の間に導電面を配置すればよい。図５に示す別の実施形態によると、ｅインクセル１０用に円筒形状が使われる。ｅインク電極のこの特定の形状、すなわち内部室１２を囲む前面電極１４、背面電極１６およびサイド電極１５を与える円筒セグメントにより、視差バリアの内側での電極の配置が簡素化される。ｅインク粒子１８の回転が向上される。
【００４３】
図６は、本発明の別の実施形態による裸眼立体視ディスプレイ２の、さらに簡略化した上面図である。ディスプレイ２は、複数のピクセル６を有するディスプレイパネル４と、第１および第２のサブレイヤ２４、２６を備える視差バリアとを備え、サブレイヤは、それぞれのｅインクセル１０の横幅の半分のサイズだけ、互いにインターリーブされる。有利には、ディスプレイパネル４のそれぞれのピクセル６によって放出された光（３つの矢印で示される）は、第１のサブレイヤ２４のｅインクセル１０を、ならびに第２のサブレイヤ２６のｅインクセル１０を透過される。一部の散乱光は、２つの隣接ｅインクセル１０の境界部の間、または境界部の所の横領域において第１のサブレイヤ２４を通過している場合がある。この境界部ゾーンは、図３から５に示す実施形態の例示的なｅインクセル１０から明らかなように、電界
【００４４】
【数１０】
2012181528.tif 000012
【００４５】
を発生させる電極を備える。したがって、この領域においてｅインク面の第１のサブレイヤ２４を通過する光は、それぞれのサブレイヤ２４のｅインク粒子によって阻止されない。こうした散乱光部分は、それぞれの観賞者に提示される立体映像、フレームまたは動画の明るさおよびコントラストを低下させ、したがって不愉快な鑑賞体験につながる場合がある。第２のインターリーブサブレイヤ（すなわち、第２のサブレイヤ２６）を第１のサブレイヤ２４の正面に置くことによって、第１のサブレイヤ２４のｅインクセル１０の間の境界部領域を通り抜ける光は、第２のインターリーブサブレイヤ２６のｅインクセル１０によって阻止される。
【００４６】
図７は、円筒形ｅインクセル１０がインターリーブ方式で配列される第１および第２のサブレイヤ２４、２６を備える視差バリアの詳細な表示を示す。
【００４７】
別の実施形態によると、第１および第２のｅインク面８は、ディスプレイパネル４の正面に配置され、第１のｅインク面のｅインク粒子１８の傾斜角は、好ましくは第２のｅインク面にあるｅインク粒子１８の傾斜化軸に対して直角である。有利には、第１のｅインク面は、垂直であるとともに光を水平分散させる傾斜化軸を有し、第２のｅインク面の傾斜化軸は、水平方向に配列され、そうすることによって垂直面における透過角度を変化させる。第１および第２のｅインク面の同期をとることによって、水平面での、すなわち並んで座っている観客のための異なる複数の表示、ならびにたとえばくつろいでいる横になった観賞姿勢により自分の頭部を傾けている人に立体視を与える垂直面での異なる複数の表示が提供され得る。
【００４８】
本発明のさらに有利な実施形態によると、１つのｅインク面の内側のｅインク粒子の傾斜化軸（技術的に望ましくないずれは除く）は、互いに対して平行である。言い換えると、視差バリアのｅインク粒子１８は、同じ回転軸の回りを回転している。これは、電界
【００４９】
【数１１】
2012181528.tif 000013
【００５０】
の形状を画定する正面、背面およびサイド電極１４、１６、１５の幾何学的配置によって達成することができ、この配置により、ｅインクセル１０内でのｅインク粒子１８の回転が生じる。ただし、立体画像の投影の集束点はユーザの両目なので、特にディスプレイパネル４の周辺領域における傾斜角は、スクリーンの中心での傾斜角からわずかに逸れ得る。ユーザの鑑賞体験は最適化され得る。
【００５１】
以上、具体的な実施形態を参照して本発明を記載したが、本発明は、本実施形態に限定されるわけではなく、おそらく、特許請求の範囲に記載する本発明の範囲内であるさらなる代替形態が当業者には思いつくであろう。
【符号の説明】
【００５２】
２    裸眼立体視ディスプレイ
４    ディスプレイパネル
６    ピクセル
８    ｅインク面
１０  インクセル
１２  内部空間
１４  前面電極
１５  サイド電極
１６  背面電極
１８  ｅインク粒子
２０  半球体
２２  中間レイヤ
２４  第一のインターリーブサブレイヤ
２６  第２のインターリーブサブレイヤ
【図１】
2012181528.tif 000014
【図２】
2012181528.tif 000015
【図３】
2012181528.tif 000016
【図４】
2012181528.tif 000017
【図５】
2012181528.tif 000018
【図６】
2012181528.tif 000019
【図７】
2012181528.tif 000020
【外国語明細書】
2012181528000001.pdf